(57)【要約】【課題】  動画撮影中に被写体が縦位置すなわち９０°程度回転して撮影されることを防止できる撮像装置を提供する。【解決手段】  縦位置センサ１１６はカメラが９０°程度回転して保持されているか否かを検知する。撮像部１０１による動画撮影中、縦位置センサ１１６によりカメラが縦位置であることが検出された場合（Ｓ２０３）、ＬＣＤ２１には縦位置で撮影していることが警告表示される（Ｓ２０６）。【選択図】    図５
2007124548.tif 000002
【特許請求の範囲】
【請求項１】
撮影により得られる動画像データを記録する撮像装置であって、
光学像を撮像し、該光学像に対応する動画像データを提供する撮像手段と、
前記撮像手段によって得られた動画像データを記録媒体に記録する記録手段と、
前記撮影手段により得られる動画像データ又は前記記録手段に記録された動画像データを再生する再生手段と、
前記再生手段により再生された動画像を表示する表示手段と、
前記装置が縦位置に保持されているか否かを検知する縦位置検出手段と、
前記撮像手段による動画撮影中、前記縦位置検出手段により前記装置が縦位置であることが検出された場合、前記表示手段に縦位置で撮影していることを警告表示する表示制御手段と、
を具備することを特徴とする撮像装置。
【請求項２】
前記表示制御手段は、前記警告の表示／非表示を選択するためのメニューを前記表示手段に表示し、該メニューに基づいて入力されるユーザ指示に応じて、前記警告の表示／非表示を決定することを特徴とする請求項１記載の撮像装置。
【請求項３】
前記記録手段は、前記撮影手段により得られる動画像データに、前記縦位置検出手段により検出された縦位置情報を付加して、該動画像データを記録することを特徴とする請求項１記載の撮像装置。
【請求項４】
前記記録媒体に記録された動画像データを再生する際に、該動画像データに前記縦位置情報が付加されている場合、前記再生手段により再生された映像を前記縦位置情報に応じて縦／横変換する変換手段を更に具備することを特徴とする請求項３記載の撮像装置。
【発明の詳細な説明】
【技術分野】
【０００１】
本発明は撮影により得られる画像データを記録媒体に記録すると共に装置の表示部に表示する撮像装置に関する。
【背景技術】
【０００２】
デジタルカメラ等の撮像装置は、半導体メモリからなるメモリカードなどの可搬型記録媒体を装着可能である。撮影した画像はメモリカードに格納できる。ユーザーの操作により、メモリカードに格納されている画像データが読み出され、カメラに装備されている液晶表示部に表示される。
【０００３】
最近になって、大容量記録媒体であるＨＤＤ(hard disk drive) を搭載したデジタルカメラが開発された。このようなカメラでは、記録できる静止画の数及び動画像の記録時間が、従来のデジタルカメラより飛躍的に増大されている。
【０００４】
デジタルカメラにより記録された静止画あるいは動画像等の画像は、カメラの液晶表示部を用いて確認することができるが、カメラにケーブルを介して接続されたＴＶ等のモニター装置にて表示することが可能である。カメラに記録された画像の観賞は、一般にこのようなモニター装置を用いて行われる。
【０００５】
ところで、デジタルカメラを用いて例えば高層ビルのように背の高い被写体を静止画として撮影する場合、カメラを通常の保持位置から９０°傾けて（回転して）撮影することがある。このようにカメラを９０°傾けて撮影した静止画を再生して表示すると、撮影された被写体像は、９０°傾いて表示される。下記特許文献１には、このようにカメラを傾けて撮影した画像の傾きを補正して表示する撮像装置が開示されている。
【特許文献１】特開２００４−１０４２１３号公報
【発明の開示】
【発明が解決しようとする課題】
【０００６】
動画撮影時において、前述したように垂直方向に長い被写体を撮影する場合、静止画と同様にうっかりカメラを９０°回転して撮影してしまことがある（以下、カメラが直立位置から９０°程度回転した状態を縦位置と記載する）。カメラに記録された動画をＴＶ等のモニター装置に表示して鑑賞する場合、画像が９０°傾いていると、静止画が９０°傾いている場合より遥かに見ずらい映像となる。
【０００７】
従って本発明は、動画撮影中に被写体が縦位置で撮影されることを防止できる撮像装置を提供することを目的とする。
【課題を解決するための手段】
【０００８】
本発明に係る撮像装置は、撮影により得られる動画像データを記録する撮像装置であって、光学像を撮像し、該光学像に対応する動画像データを提供する撮像手段と、前記撮像手段によって得られた動画像データを記録媒体に記録する記録手段と、前記撮影手段により得られる動画像データ又は前記記録手段に記録された動画像データを再生する再生手段と、前記再生手段により再生された動画像を表示する表示手段と、前記装置が縦位置に保持されているか否かを検知する縦位置検出手段と、前記撮像手段による動画撮影中、前記縦位置検出手段により前記装置が縦位置であることが検出された場合、前記表示手段に縦位置で撮影していることを警告表示する表示制御手段と、を具備する。
【発明の効果】
【０００９】
動画撮影中にカメラ縦位置を検出して警告メッセージを表示することにより、動画の撮影ミスを防ぐことが出来る。
【発明を実施するための最良の形態】
【００１０】
図１（Ａ）、図１（Ｂ）は、本発明が適用される撮像装置としてのデジタルメラ１００の概観を示す図である。図１（Ａ）はデジタルカメラ１００を前方下部から見たときの斜視図である。１１は撮像レンズ、１２はフラッシュ、１３はシャッターボタン、１４はリモコン受信部、１５はバッテリーカバーである。
【００１１】
図１（Ｂ）はデジタルカメラ１００を後方の左側から見たときの斜視図である。２１は液晶モニタ、２２はスピーカであり、これらは表示部２０として一体化されている。この表示部２０は、図１（Ａ）のように通常はデジタルカメラ１００の本体の凹部に収まるもので、使用時には図１（Ｂ）に示すように開かれる。
【００１２】
２５はムービー録画ボタンであり、動画記録を行うときに操作される。２４はズームバーであり、ズーム調整に使用される。２７はメニューボタンであり、各種メニュー画面を液晶モニター２１に表示するために使用される。２６のジョグダイヤルによりメニュー画面中の各種項目が選択され、３０のＯＫボタンにより選択された機能が確定される。２８はモードレバーであり、撮影モード／再生モード等のモード切替えを行うために使用される。２９は着脱可能な半導体メモリカードを収容するスロットのカバーであり、２３は電源オンオフ用のパワーボタンである。
【００１３】
図２は、図１のデジタルカメラ１の制御系の概略構成を示すブロック図である。撮像部１０１は撮像レンズ１１、ＣＣＤ及びＡ／Ｄ変換器（共に図示されず）を含み、光学像を撮像し該光学像に対応する画像データを提供する。この画像データは、カメラ信号処理回路１０２、ＪＰＥＧ（静止画のとき）／ＭＰＥＧ（動画のとき）圧縮伸長処理回路１０３により圧縮され、メモリ回路１０４に書き込まれた後、圧縮された画像データとしてハードディスク（ＨＤＤ）１０５または不揮発性の半導体メモリからなるメモリカード１０６に記録される。また、このとき撮影される画像は信号処理部１０２からメモリ１０４、Ｖｉｄｅｏ  Ｄｅｃｏｄｅｒ１０７、及びＬＣＤ  Ｄｒｉｖｅｒ１０８を経てＬＣＤ２１上に表示される。メモリカード１０６は図示しないカードスロットに装着されており、着脱可能な記録媒体である。
【００１４】
再生時は、ＨＤＤ１０５またはメモリカード１０６から読み出された画像が、ＪＰＥＧ／ＭＰＥＧ圧縮伸長処理回路１０３により伸長されメモリ回路１０４に書き込まれた後、Ｖｉｄｅｏ  Ｄｅｃｏｄｅｒ１０７を介し、ＬＣＤ  Ｄｒｉｖｅｒ１０８を経てＬＣＤ２１上に表示される。Ｖｉｄｅｏ  Ｄｅｃｏｄｅｒ１０７は、圧縮伸長処理回路１０３により伸長された画像データをＬＣＤ２１に適したデータに変換する。例えばＶｉｄｅｏ  Ｄｅｃｏｄｅｒ１０７は、伸長された画像データがＹＵＶ形式画像データの場合、入力画像データをＲＧＢ形式画像データに変換する。
【００１５】
ＨＤＤ１０５またはメモリカード１０６に記録された静止画像または動画像などの画像データを外部機器に転送、あるいは画像データを外部機器から受信するときは、ＵＳＢコントローラ１１１を介してＵＳＢ端子１１３により送受信する。外部機器として例えばＰＣを接続可能である。また、ＤＶＤレコーダのような画像記録再生装置に対して、動画像を送受信することもできる。一般に、ＤＶＤレコーダに、これらの画像を転送するときは、ＭＰＥＧ圧縮された動画像をカメラ側でデコードし、ビデオ端子やＳ端子からアナログ出力し、画像記録再生装置側でアナログ信号を再圧縮して保存する。この方法では、例えば１時間記録した動画像をＤＶＤに記録するのに１時間かかる。しかし、ここではＭＰＥＧ圧縮した動画データは、このままストリーミングとしてネットワーク経由でＤＶＤレコーダに転送することができる。そのときの転送時間は、圧縮率にも依存するが、実時間の数１０分の１を達成でき、画質は、再エンコードしないため高画質のままである。例えば１時間記録した動画像をＤＶＤレコーダに記録するのに１／１０だと６分で済む。ネットワークとしてＬＡＮを想定した場合、ＬＡＮコントローラ１１０を介してＬＡＮ端子１１２から画像データを送受信する。なお、ＤＶＤレコーダへの転送は、動画像に限らずに静止画及び音声を含むことができる。
【００１６】
このように記録媒体が大容量のＨＤＤ１０５の場合は、記録画像の枚数が増加するため、画像の送りや戻しに高速性が要求される。このため、それらをストレスなく操作するため、ＪＯＧダイアル２６が使用される。ＪＯＧダイアル２６は、システム全体を制御するＣＰＵ１１４にその回転角と回転スピードの情報を与える。ＣＰＵ１１４は、それらの情報から画像の表示スピードなどを制御する。
【００１７】
縦位置センサ１１６は重力加速度センサを応用したセンサであって、装置が縦位置で保持されているか否かを装置の傾き（回転）角度に基づいて検知し、検知結果を例えば２値（ハイレベル／ローレベル）で常に出力する。図３のように縦位置センサ１１６は、デジタルカメラ１００が直立した状態から傾いた場合、撮像レンズ１の光軸３１を中心としたデジタルカメラ１００の回転角度を検出する。縦位置センサ１１６はデジタルカメラ１００の回転角度θが、正方向或いは負方向に９０°±α°の範囲内のとき、カメラ１００が縦位置で保持されていることを検知する。また縦位置センサ１１６は、カメラ１００が縦位置で保持されていることと共に、その回転方向の情報を検知結果として提供することができる。ＣＰＵ１１４は、その検知結果を基に本発明に係る処理を実行する。
【００１８】
本発明は、動画撮影中に縦位置センサ１１６の検知結果（縦位置情報）を用いて縦位置警告表示及び検知結果を動画データに付加して記録するものであり、図４、図５にその動作の実施例を示す。
【００１９】
図４は動画撮影中に、縦位置センサ１１６によりカメラ１００が縦位置で保持されていることを検出した場合の動作を、メニューによってユーザーが設定するフローチャートである。
【００２０】
この設定では、動画撮影中に縦位置センサ１１６が縦位置で保持されていること検出した際に、それを示す警告メッセージをＬＣＤ２１に表示するか否かの選択を行う（Ｓ１０１）。警告メッセージを表示する場合、動画撮影縦位置警告フラグＦ１（図１参照）をＯＮする（Ｓ１０２）。警告メッセージを表示しない場合は、動画撮影縦位置警告フラグＦ１をＯＦＦする（Ｓ１０３）。
【００２１】
図５は、本発明による動画撮影動作の１実施例を示すフローチャートである。
【００２２】
動画撮影を開始すると、ＣＰＵ１１４は縦位置センサ１１６の状態を取得して、その状態を縦位置フラグＦ２（図１参照）にセットする（Ｓ２０１）。ＣＰＵ１１４は、縦位置センサ１１６が縦位置状態を検出している場合は、縦位置フラグＦ２をＯＮにセットし、横位置の場合は縦位置フラグＦ２をＯＦＦにセットする。このように縦位置フラグＦ２をＯＮにセットする場合、縦位置センサ１１６から提供されるカメラの回転方向の情報を縦位置フラグＦ２と共に記録しても良い。
【００２３】
続いてＣＰＵ１１４は、撮像部１０１により得られる動画データに、カメラが縦位置であるか否かを示す縦位置フラグＦ２を付加し、該動画データをＨＤＤ１０５またはメモリカード１０６に記録する（Ｓ２０２）。このとき縦位置フラグＦ２は、例えばデータストリーム（ヘッダー部及び動画データを含む）のヘッダー部に記録される。このとき、カメラの回転方向の情報が縦位置フラグＦ２と共に得られる場合は、この回転方向もヘッダー部に記録する。
【００２４】
このように、撮影した動画データに縦位置情報を埋め込むことで、撮像装置本体もしくはパソコン等の編集機能により縦位置撮影した動画部分のみを容易に縦横変換することが可能となる。
【００２５】
次にＣＰＵ１１４は縦位置フラグＦ２がＯＮか否かチェックし、ＯＦＦ（横位置）の場合（Ｓ２０３のＮＯ）、縦位置センサ１１６の状態が変化するまで待つ（Ｓ２０４）。縦位置フラグＦ２がＯＮ（縦位置）の場合（Ｓ２０３のＹＥＳ）、動画撮影縦位置警告フラグＦ１をチェックする（Ｓ２０５）。
【００２６】
動画撮影縦位置警告フラグＦ１がＯＮの場合（Ｓ２０５のＹＥＳ）、ＬＣＤ２１に縦位置で動画撮影が行われていることを示す警告メッセージあるいはアイコンを表示する（Ｓ２０６）。動画撮影縦位置警告フラグＦ１がＯＦＦの場合（Ｓ２０５のＮＯ）、フローはステップＳ２０４へ遷移し、縦位置センサ１６６の状態が変化するのを待つ。このように、動画撮影中に縦位置を検出した際、縦位置で撮影中であることをＬＣＤに警告表示することで、ユーザーがうっかり縦位置で撮影し続けることを防止できる。
【００２７】
ステップＳ２０４において、縦位置センサ１１６の状態が変化した場合、ＣＰＵ１１４は、カメラ１００が縦位置で保持されていることを示す警告メッセージが表示されているか判断する（Ｓ２０７）。警告メッセージが表示されている場合は、警告メッセージを非表示とし（Ｓ２０８）、フローはステップＳ２０１の最初の処理に移行する。
【００２８】
次に、ＨＤＤ１０５またはメモリカード１０５に記録された画像データを再生する動作を説明する。ここではＨＤＤ１０５に記録された動画像データの再生について説明するが、メモリカード１０５の場合も同様である。
【００２９】
図６は記録した動画データの再生動作を示すフローチャートである。
【００３０】
ＨＤＤ１０５に記録された動画データを再生する場合、ＣＰＵ１１４は動画データをＨＤＤ１０５から読出し（Ｓ３０１）、ＪＰＥＧ／ＭＰＥＧ圧縮伸長部１０３を用いて伸長し（Ｓ３０２）、メモリ１０４に書き込む。このときＣＰＵ１１４は読出したデータストリームのヘッダー部に記録された縦位置フラグＦ２の状態を記憶しておく。 
上記ヘッダー部に記録された縦位置フラグＦ２がＯＮすなわち縦位置を示す場合（Ｓ３０３のＹＥＳ）、ＣＰＵ１１４はメモリ１０４に書き込まれた１フレームの動画データに対して縦／横変換（９０°回転）処理を施す（Ｓ３０４）。縦／横変換された画像データは、Ｖｉｄｅｏ  Ｄｅｃｏｄｅｒ１０７及びＬＣＤ  Ｄｒｉｖｅｒ１０８を経てＬＣＤ２１上に表示される（Ｓ３０５）。この縦／横変換は、例えばメモリ１０４に書き込まれた１フレームの動画データの読出しアドレスの順序を通常とは縦横逆にして、動画データを読み出し、Ｖｉｄｅｏ  Ｄｅｃｏｄｅｒ１０７に供給する。尚、上記ヘッダー部から縦位置フラグＦ２と共に回転方向の情報が得られる場合、縦／横変換処理では、この回転方向に応じて画像が＋９０°回転あるいは−９０回転処理される。
【００３１】
以上のようにして、縦位置で撮影された動画は、ＬＣＤ２１に縦横変換されて表示される。
【００３２】
以上の説明はこの発明の実施の形態であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００３３】
【図１】本発明が適用されるデジタルメラの概観を示す図である。
【図２】図１のデジタルカメラの制御系の概略構成を示すブロック図である。
【図３】縦位置センサが検知するカメラの縦位置を説明するための図である。
【図４】動画撮影中に、カメラが縦位置で保持されていることを検出した場合の動作を設定するためのフローチャートである
【図５】本発明による動画撮影動作の１実施例を示すフローチャートである。
【図６】記録した動画データの再生動作を示すフローチャートである。
【符号の説明】
【００３４】
１１…撮像レンズ、１２…フラッシュ、１３…シャッターボタン、１４…リモコン受信部、１５…バッテリーカバー、２０…表示部、２１…液晶モニタ、２２…スピーカ、２３…パワーボタン、２４…ズームバー、２５…ムービー録画ボタン、２６…ジョグダイヤル、２７…メニューボタン、２８…モードレバー、２９…カードスロットカバー、３０…ＯＫボタン。
【図１】
2007124548.tif 000003
【図２】
2007124548.tif 000004
【図３】
2007124548.tif 000005
【図４】
2007124548.tif 000006
【図５】
2007124548.tif 000007
【図６】
2007124548.tif 000008